(57)【要約】【課題】キャリブレーションの副作用として生じるディザの干渉によるパターン塗りの色抜けなどを防止できるようにする。【解決手段】濃度補正を行うためのテストパターン１３をテストパターン生成部１５６と作像部１１とにより画像形成媒体１２上に生成し、このテストパターン１３の濃度を検出部１４で読み取り、濃度補正部１５３にて濃度補正を行う。ＣＰＵ１５２は、キャリブレーション結果の副作用であるディザの干渉を発生させるディザパターンを調べて、予めＲＯＭ１５４やＮＶＲＡＭ１５５などのメモリに格納させておく。濃度補正部１５３は、濃度補正時に、このメモリ内にあるディザパターンを除外して、他のディザパターンを用いてキャリブレーション処理を実行する。【選択図】図１
2010226505.tif 000002
【特許請求の範囲】
【請求項１】
テストパターンの濃度を読み取って濃度補正を行う画像形成装置であって、
濃度補正を行うためのテストパターンを画像形成媒体上に生成するテストパターン生成手段と、
前記画像形成媒体上に生成されたテストパターンの濃度を検出する濃度検出手段と、
前記濃度検出手段で検出された濃度に基づいて濃度補正を行う濃度補正手段と、
を備え、前記濃度補正手段は、濃度補正時に使用するディザパターンの中から不当な印刷結果を生じさせるディザパターンを除外して濃度補正を行うことを特徴とする画像形成装置。
【請求項２】
前記濃度補正手段が濃度補正時に除外するディザパターンを記憶しておく記憶手段をさらに備えたことを特徴とする請求項１に記載の画像形成装置。
【請求項３】
前記濃度補正手段は、不当な印刷結果を生じさせるディザパターンを除外するか否かを画像の種類に応じて決めることを特徴とする請求項１または２に記載の画像形成装置。
【請求項４】
前記濃度補正手段は、不当な印刷結果を生じさせるディザパターンを除外するか否かをユーザからの要求に応じて決めることを特徴とする請求項１または２に記載の画像形成装置。
【請求項５】
前記濃度補正手段が補正を実行する濃度値か否かを決める補正実行範囲を予め設定しておき、
前記濃度補正手段は、前記テストパターンの濃度値が前記補正実行範囲に入っていれば濃度補正を実行し、前記補正実行範囲に入っていなければ濃度補正を行わないようにすることを特徴とする請求項１〜４のいずれか一つに記載の画像形成装置。
【請求項６】
前記テストパターン生成手段は、前記濃度補正手段におけるディザ処理に応じたテストパターンを生成することを特徴とする請求項１〜５のいずれか一つに記載の画像形成装置。
【請求項７】
前記テストパターン生成手段は、テストパターンを生成する画像形成媒体の種類をユーザが設定可能としたことを特徴とする請求項１〜６のいずれか一つに記載の画像形成装置。
【請求項８】
テストパターンの濃度を読み取って濃度補正を行う画像形成装置で実行される画像補正方法であって、
前記画像形成装置は、テストパターン生成手段、濃度検出手段、および濃度補正手段を備え、
前記テストパターン生成手段が、濃度補正を行うためのテストパターンを画像形成媒体上に生成するステップと、
前記濃度検出手段が、前記画像形成媒体上に生成されたテストパターンの濃度を検出するステップと、
前記濃度補正手段が、前記濃度検出手段で検出された濃度に基づいて濃度補正を行うステップと、
を含み、前記濃度補正手段は、濃度補正時に使用するディザパターンの中から不当な印刷結果を生じさせるディザパターンを除外して濃度補正を行うことを特徴とする画像補正方法。
【発明の詳細な説明】
【技術分野】
【０００１】
本発明は、画像形成装置および画像補正方法に関し、テストパターンに基づいて濃度補正を行う画像形成装置および画像補正方法に関する。
【背景技術】
【０００２】
従来の電子写真方式による画像形成装置では、電源投入時、あるいは大量印刷後において濃度変動等が発生する。そのため、従来の画像形成装置では、濃度パターンを濃度センサで読み取った値に基づいて、ガンマ補正によるキャリブレーションを実行しているが、ディザパターンの組み合わせが変わってしまい、ディザの干渉が発生することがあった。このディザの干渉とは、特定のパターンに対して色抜けが生じたりすることをいう。
【０００３】
例えば、特許文献１は、印刷出力特性を一定のものとするためのキャリブレーション方法に関するものであり、複数の画像処理条件に対応したディザパターンが形成したパッチを読み取り、その読み取り結果に基づいて、複数の画像処理条件のそれぞれに対応したキャリブレーションを実施する技術が開示されている。
【発明の概要】
【発明が解決しようとする課題】
【０００４】
しかしながら、上記特許文献１にあっては、複数の画像処理条件に対応するディザパターンを用いてキャリブレーションを実施すると記載されているが、上記したようなディザの干渉を防ぐための補正を実施していないため、特定のパターンに対して色抜けが生じるのを防ぐことができないという問題がある。
【０００５】
本発明は、上記に鑑みてなされたものであって、キャリブレーションの副作用として生じるディザの干渉によるパターン塗りの色抜けなどを防止することができる画像形成装置および画像補正方法を提供することを目的としている。
【課題を解決するための手段】
【０００６】
上述した課題を解決し、目的を達成するために、本発明は、テストパターンの濃度を読み取って濃度補正を行う画像形成装置であって、濃度補正を行うためのテストパターンを画像形成媒体上に生成するテストパターン生成手段と、前記画像形成媒体上に生成されたテストパターンの濃度を検出する濃度検出手段と、前記濃度検出手段で検出された濃度に基づいて濃度補正を行う濃度補正手段と、を備え、前記濃度補正手段は、濃度補正時に使用するディザパターンの中から不当な印刷結果を生じさせるディザパターンを除外して濃度補正を行うことを特徴とする。
【０００７】
また、本発明は、テストパターンの濃度を読み取って濃度補正を行う画像形成装置で実行される画像補正方法であって、前記画像形成装置は、テストパターン生成手段、濃度検出手段、および濃度補正手段を備え、前記テストパターン生成手段が、濃度補正を行うためのテストパターンを画像形成媒体上に生成するステップと、前記濃度検出手段が、前記画像形成媒体上に生成されたテストパターンの濃度を検出するステップと、前記濃度補正手段が、前記濃度検出手段で検出された濃度に基づいて濃度補正を行うステップと、を含み、前記濃度補正手段は、濃度補正時に使用するディザパターンの中から不当な印刷結果を生じさせるディザパターンを除外して濃度補正を行うことを特徴とする。
【発明の効果】
【０００８】
本発明によれば、ディザの干渉が起こるディザパターンを除外して濃度補正を行うことにより、キャリブレーションの副作用によるディザの干渉を防ぐことにより、パターン塗りの色抜けなどを防止することができるという効果を奏する。
【図面の簡単な説明】
【０００９】
【図１】図１は、本発明の実施の形態にかかる画像形成装置の構成を示すブロック図である。
【図２】図２は、図１の画像形成装置の制御部における画像処理に関する機能構成図である。
【図３】図３は、濃度補正実行時における目標値に対する検出部の検出値を示す線図である。
【図４】図４は、濃度補正を実行するか否かを決める補正実行範囲を設けた例を示す線図である。
【図５】図５は、濃度補正時におけるディザパターンの選択例を示す線図である。
【図６】図６は、アプリケーションを使ってディスプレイ上で色の選択ができるパレット例を示す図である。
【図７】図７は、アプリケーションを使ってディスプレイ上でパターンの選択ができるパレット例を示す図である。
【図８】図８は、画像の種類に応じた除外パターンの有効／無効の選択例を示す図である。
【図９】図９は、本実施の形態にかかる画像補正処理の動作を説明するフローチャートである。
【図１０】図１０は、図９における補正実行処理のサブルーチンを示すフローチャートである。
【発明を実施するための形態】
【００１０】
以下に添付図面を参照して、この発明にかかる画像形成装置および画像補正方法の最良な実施の形態を詳細に説明する。
【００１１】
図１は、本発明の実施の形態にかかる画像形成装置の全体構成を示すブロック図である。図１に示す画像形成媒体１２とは、画像形成工程で画像形成が行われる媒体のことであり、電子写真方式の場合は、用紙や感光体あるいは中間転写体のことをいう。画像形成装置１０は、図１に示すように、制御部１５と、制御部１５に対して各種の指令を入力するプリンタパネル（ＵＩ：ユーザインタフェース）１６と、電子写真方式の画像形成を行って、電子写真方式で作像を行って用紙に画像を印字出力する作像部１１と、画像形成媒体１２に形成されたテストパターン１３の濃度を検出する濃度検出手段としての検出部１４とを備えている。
【００１２】
プリンタパネル１６は、画像形成装置１０におけるユーザインタフェース（ＵＩ）であり、ＬＣＤ（液晶表示装置）とキースイッチから構成され、装置の各種状態や操作方法をＬＣＤに表示し、ユーザからのキースイッチ入力を検知する。また、プリンタパネル１６には、プリント実行を指示するプリントキー、一般文書か写真かといった画像の種類を選択する画像選択ボタン、特定のディザパターンを除外するか否かを選択するディザパターン選択ボタン、画像形成媒体の種類を選択する画像形成媒体選択ボタン、画質モードを選択するためのモード選択ボタン等が設けられている。 
【００１３】
制御部１５は、検出部１４から入力されるアナログのテストパターン検出濃度をＡ／Ｄ変換するＡ／Ｄ変換部１５１と、ＣＰＵ１５２が実行するプログラムやデータを格納するＲＯＭ１５４と、濃度検出用の画像を生成するテストパターン生成手段としてのテストパターン生成部１５６と、ＲＯＭ１５４に格納されているプログラムやデータを使用して、画像形成装置１０の全体動作の制御、および画像処理（濃度補正処理を含む）等を行うＣＰＵ１５２と、検出部１４で検出した濃度からガンマ補正を行う濃度補正手段としての濃度補正部１５３、ディザの干渉など不当な印刷結果を生じさせるディザパターンを格納する記憶手段としてのＮＶＲＡＭ１５５と、プリンタパネル１６を制御するパネル制御部１５７等を備えている。ＣＰＵ１５２は、ユーザによるプリンタパネル１６のキー操作に従って、画像形成装置１０の動作を制御する。 
【００１４】
また、濃度補正部１５３は、各種用紙で最適な濃度特性とするために、補正ガンマ処理工程（以下、キャリブレーションともいう）を実行する。かかる補正ガンマ生成工程では、濃度補正部１５３は、まず、テストパターン生成部１５６にテストパターンデータ生成を指示し、テストパターン生成部１５６は、テストパターンデータを生成して作像部１１に出力する。ＣＰＵ１５２は、作像部１１を制御し、テストパターンデータに応じたテストパターン１３の画像を画像形成媒体１２（用紙、中間転写体）上に形成させる。検出部１４は、画像形成媒体１２上に形成されたテストパターンの濃度を検出し、検出したテストパターン濃度をＡ／Ｄ変換部１５１およびＣＰＵ１５２を介して、濃度補正部１５３に出力する。濃度補正部１５３では、テストパターン濃度に基づいて、ガンマ補正が行われる。なお、画像形成媒体１２上に印刷される画像は、ある濃度で印刷された濃度補正用のテストパターンである。
【００１５】
なお、図１に示した画像形成装置１０は、テストパターンの形成の他、ユーザ指令に応答してスキャナ（図示せず）から取得した画像データを画像処理し、作像部１１を制御して画像データに対応した印刷物を形成する複写機としても機能する。さらに、画像形成装置１０は、ＵＳＢまたはＩＥＥＥ１２９４などのバスラインやイーサネット（登録商標）などの不図示のネットワークを介して受信したアプリケーションからの画像データに対して画像処理を実行して印刷物を形成する、ローカル・プリンタまたはネットワーク・プリンタとしても機能する。この他、画像形成装置１０は、ファクシミリ機能やメール機能などを実装するＭＦＰ(Multi Function Peripheral)として構成されても良い。
【００１６】
図２は、図１の画像形成装置の制御部における画像処理に関する機能構成図である。図２に示すカラーマッチングモジュール２１、プリンタγ変換モジュール２２、総量規制モジュール２３、および階調変換モジュール２４における各機能は、図１のＣＰＵ１５２がプログラムを実行することにより実現している。また、制御部１５は、加法混色系の色彩表示であるＲＧＢ表色系で記述された画像データをアプリケーション２０から受け取り、減法混色系のＣＭＹＫ表示に色変換した後、トナー・カラーインクなどの着色剤量を決定し、作像部１１に出力して印字させる。アプリケーション２０としては、例えば、スキャナ・アプリケーションの他、外部接続された情報処理装置（パソコン等）が実行するアプリケーション（プリンタドライバを含む）とすることができる。 
【００１７】
カラーマッチングモジュール２１は、アプリケーション２０から入力されるＲＧＢ画像デーをＲＧＢ表色系からＣＩＥ１９７６Ｌ＊ａ＊ｂ＊均等色空間に変換した後、ＣＭＹＫ表色系に色変換する。この処理のため、カラーマッチングモジュール２１は、例えば、ＲＧＢ表色系を、ＣＩＥ１９７６Ｌ＊ｕ＊ｖ＊均等色空間またはＣＩＥ１９７６Ｌ＊ａ＊ｂ＊均等色空間またはＹＸＺ色空間の座標に変換する色域マッピングのためのルックアップ・テーブル（ＬＵＴ）２５１と、変換された色空間の座標値を、画像形成装置１０が使用する減法混色系の着色剤で使用する着色剤に対応する着色剤濃度に変換するＩＮ／ＯＵＴＰＵＴテーブル２５２とを使用することができる。カラーマッチングモジュール２１は、ＲＧＢ表色系の画像データの色空間座標値から、機種、すなわち使用する着色剤の色特性を反映したＣＭＹＫ表色系での色空間座標値を与えている。 
【００１８】
プリンタγ変換モジュール２２は、階調再現データを、例えば、８ビット階調（０−２５５）で管理しており、階調レベル値に対応して適切な濃度階調を与えるように濃度補正を行う。プリンタγ変換モジュール２２は、ＮＶＲＡＭ１５５に格納されているガンマテーブル２６を参照して、用紙別の濃度階調を与える着色剤濃度を総量規制モジュール２３に出力する。なお、階調レベルは、必ずしも８ビット階調とする必要はなく、１０ビット階調など装置設定に応じて設定することができる。 
【００１９】
総量規制モジュール２３は、ＣＭＹＫ着色剤の単一着色剤の最大濃度および総量を、ＲＯＭ１５４に格納された総量規制値２７を使用して制限し、着色剤濃度が過大とならないように制限したＣＭＹＫ着色剤濃度を階調変換モジュール２４に出力する。 
【００２０】
階調変換モジュール２４は、与えられた階調（例えば、１ビット階調）での着色剤濃度を与える網点面積率のディザパターンを、ＲＯＭ１５４やＮＶＲＡＭ１５５などに格納されたディザパターン・テーブル２８を参照して取得し、濃度階調データを面積階調データに変換して作像部１１に印刷データとして渡して画像形成させる。なお、図２に示した実施の形態では、各テーブルまたはデータは、ＲＯＭ１５４やＮＶＲＡＭ１５５に格納しておくものとして説明したが、画像形成装置１０がハードディスク・ドライブなどを備えている場合には、ハードディスク・ドライブに格納しておくこともできる。
【００２１】
図３は、濃度補正実行時における目標値に対する検出部の検出値を示す線図である。図３に示すように、目標値に対して検出値に差がある場合は、ＣＰＵ１５２により差分を計算し、補正ガンマを生成して、ガンマ補正を実行する。図３の例では、網点面積率に対する検出ポイントは２点であるが、検出部１４の性能や補正ガンマを算出する手段に応じて、検出ポイント数や検出ポイント位置を変更してもよい。
【００２２】
図４は、濃度補正を実行するか否かを決める補正実行範囲を設けた例を示す線図である。図４に示すように、補正を実行する濃度に範囲を設け、検出値が補正実行範囲外にある場合は補正を実行しないようにする。このような補正実行範囲を設けた理由は、検出部１４の濃度読み取り性能に懸念があるような場合に、読み取り不正と思われる検出値を除外するためである。また、過度のガンマ補正を回避するために用いてもよく、読み取り値が補正実行範囲外にある場合は、ガンマ補正算出時に読み取り値を参照しないようにしてもよい。さらに、図４の例では、網点面積率に対する補正実行範囲は、目標値に対して均等としたが、必ずしも均等にする必要はない。例えば、検出部１４の特性として高濃度側の読み取り精度が高い場合は、検出部１４の特性に応じて補正実行範囲を適宜広げてもよく、また、逆に読み取り精度が低い場合は、補正実行範囲を狭めるようにしても良い。
【００２３】
図５は、濃度補正時におけるディザパターンの選択例を示す線図である。図５に示すように、検出値と濃度値の差分から補正ガンマを生成し、補正ガンマに相当するディザパターンを選択するようにする。図５において、補正ガンマを生成する場合は、補正ポイント間は公知のスプライン補間あるいは線形補間を使用して補間を行うようにする。また、図５の場合、濃度補正実行前の補正前のガンマは、毎回リニア形状であることを想定しているが、補正前のガンマが前回以前の補正値により生成されたガンマであっても同様に処理される。
【００２４】
図５に示すように、例えばディザパターンが１０００階調ある場合は、その中で除外するパターンを予め図１のＲＯＭ１５４、あるいはＮＶＲＡＭ１５５などに記憶しておき、その除外パターンを選択しないようにして濃度補正を実行する。濃度補正部１５３内に保持しておくディザパターンは、使用するディザパターンの種類によって保持すべき階調数は異なるが、補正ガンマの階調数よりも多くする。ここでいう除外パターンとは、例えばアプリケーション等でよく使われる色であって、ディザの干渉の起きやすいパターン塗りを印刷する場合に、干渉が起こるディザの組み合わせにするとよい。また、ここでいうアプリケーションとは、例えばマイクロソフト・オフィス（登録商標）等を一例としてあげることができる。また、よく使われる色とは、上記アプリケーションにおいて簡単に選択できる色のことを指している。
【００２５】
図６は、アプリケーションを使ってディスプレイ上で色の選択ができるパレット例を示す図であり、図７は、アプリケーションを使ってディスプレイ上でパターンの選択ができるパレット例を示す図である。なお、図６は、モノクロ表現のためカラーパレットに見えないが、実際にはパレット毎に異なる色が配置され、任意に選択できるようになっている。図６に示すような色、あるいは図７に示すようなパターンを使って印刷した際に、干渉の起きるディザパターンの組み合わせを予め調べておき、これらを除外パターンとして制御部１５のＲＯＭ１５４あるいはＮＶＲＡＭ１５５などに記憶させおくことができる。
【００２６】
図８は、画像の種類に応じた除外パターンの有効／無効の選択例を示す図である。上記したような除外パターンを用いて補正を実行しようとすると、色が正確に補正されないことがあるが、どうしてもパターンを正確に出したい場合などには有効である。パターンを選ぶか精度を選ぶかについては、トレードオフの関係にある選択となるが、ユーザは画像の種類に応じて除外パターンを有効にするか無効にするかを選択できるようにすることがより好ましい。例えば、図８に示すように、ドキュメントの種類が一般文書の場合は、主にモノクロの文字や写真で占められているため、色よりもパターンを正確に出したいことから、除外パターンを有効にした補正結果を用いて印刷するようにする。
【００２７】
また、ドキュメントの種類が写真の場合については、図８に示すように、パターンよりも色の補正を重視する必要があるため、除外パターンを無効にした補正結果を用いて印刷するようにする。もちろん、図８は、一例であって、印刷時にドキュメントの種類に応じて、自動で除外パターンを用いた補正結果を使用するかどうかの判定を行ったり、マニュアル操作でユーザが個別に判定を行ったりしてもよい。
【００２８】
以上述べたように、一般文書の塗りつぶしパターン等を色抜けなど不具合なく印刷するためには、除外パターンを有効にした補正を実施することが望ましい。しかし、写真印刷などのように、パターンよりも色を正確に出したいドキュメントの場合については、除外パターンを無効にした補正を実施することが望ましい場合もある。
【００２９】
本実施の形態にかかる画像形成装置は、上記のように構成されており、以下その動作について説明する。図９は、本実施の形態にかかる画像補正処理の動作を説明するフローチャートであり、図１０は、図９における補正実行処理のサブルーチンを示すフローチャートである。図９の画像補正処理を行うタイミングとしては、例えば電源投入時、トナー交換時、あるいは指定枚数印刷後などが考えられるが、ユーザから任意のタイミングで指定できるようにしても良い。
【００３０】
濃度補正を行うタイミングが来た場合は、濃度補正用のパターンを紙に印字するか、像担持体上に印字するかを、予めユーザが選択した方法に従って印字する。その際、印字するパターンは、プリンタのディザ処理に応じたディザパターン等を用いることが好ましい。まず、図９に示すように、補正用パターンを紙に印字するか否かを判定し（ステップＳ１００）、紙に印字する場合は（ステップＳ１００でＹＥＳ）、像担持体上に補正用パターンを印字した後（ステップＳ１０１）、紙を給紙し（ステップＳ１０２）、紙に補正用パターンを転写する（ステップＳ１０３）。その後、検出部１４などの濃度センサにより、印字した補正用パターンの濃度を検出し（ステップＳ１０４）、その後、紙を排紙して（ステップＳ１０５）、検出した濃度値を本体の制御部１５へ送って、濃度補正部１５３において濃度補正処理が実行される（ステップＳ１０６）。
【００３１】
このように、ステップＳ１００において、紙に補正用のパターンを印字して濃度を検出する場合は、実際の紙への転写特性を考慮した補正を実行することができるため、補正の精度は上がるが、給紙や排紙をするフローが必要となり、生産性が落ちることになる。
【００３２】
また、上記ステップＳ１００において、補正用パターンを紙に印字しない場合は（ステップＳ１００でＮＯ）、像担持体上に補正用パターンを印字し（ステップＳ１０７）、そのパターンを直接検出部１４が読み取って濃度検出を行い（ステップＳ１０８）、検出した濃度値を制御部１５へ送り、濃度補正部１５３にて濃度補正処理が実行される（ステップＳ１０６）。
【００３３】
このように、ステップＳ１００において、紙に補正用のパターンを印字せずに、像担持体上に印字した補正用パターンを検出する場合は、実際の紙への転写特性を考慮できないため、補正の精度は落ちるが、給紙や排紙を行うフローが不要なため、生産性の向上が見込める。
【００３４】
そして、図９のステップＳ１０６の濃度補正処理について、図１０のフローチャートを用いて説明する。図１０に示すように、制御部１５の濃度補正部１５３では、制御部１５が受け取った濃度と、制御部１５が保持している目標濃度との差分を計算し（ステップＳ２００）、ＣＭＹＫのそれぞれの信号に対して差分は補正の範囲内か否かを判定する（ステップＳ２０１）。差分が補正範囲内であれば、差分から補正ガンマを生成する（ステップＳ２０２）。補正ガンマに対して、検出ポイントが少ない場合は、公知の線形補完や、スプライン補完などを用いて補完するようにする。
【００３５】
その後、ステップＳ２０３において、除外パターンが有効かどうかを予めユーザが設定した情報に基づいて判定し、有効な場合は、除外パターンを除いたディザパターンを選択するようにする（ステップＳ２０４）。このときのディザパターンの数は、補正ガンマの数よりも多いため、除外パターンを除いたとしても、濃度が最も近い別のパターンを選択することができる。
【００３６】
また、ステップＳ２０３において、除外パターンを無効にしている場合は、ステップＳ２０５に移行して、補正ガンマの濃度に相当するディザパターンを選択するようにする。
【００３７】
このように、上記実施の形態によれば、濃度補正時に使用するディザパターンの中からキャリブレーションの副作用によるディザの干渉が起こるディザパターンを除外して濃度補正を行うようにしたため、ディザの干渉によるパターン塗りの色抜けなどを防止することができる。
【００３８】
また、上記実施の形態によれば、除外するディザパターンをＲＯＭやＮＶＲＡＭなどのメモリに記憶させておくことにより、キャリブレーションを実施する際に、メモリ内の除外パターンを参照するだけで容易に特定のディザパターンを除外して処理を行うことができる。
【００３９】
さらに、上記実施の形態によれば、ディザの干渉を起こすディザパターンを除外するか否かについて、画像の種類やユーザの判断に基づいて決めることができるため、より適正に濃度補正処理を行うことができる。
【００４０】
また、上記実施の形態によれば、濃度補正部が濃度補正を実行する濃度値か否かを判断するための補正実行範囲を予め決めておき、テストパターンの濃度値が補正実行範囲に入っていれば濃度補正を実行し、補正実行範囲に入っていなければ濃度補正を行わないようにすることで、検出部１４の濃度読み取り性能に懸念があるような場合であっても、読み取り不正と思われる検出値を容易に除外することができる。また、この補正実行範囲を用いることで、過度のガンマ補正を回避することもできる。
【符号の説明】
【００４１】
１０  画像形成装置
１１  作像部
１２  画像形成媒体
１３  テストパターン
１４  検出部
１５  制御部
１５１  Ａ／Ｄ変換部
１５２  ＣＰＵ
１５３  濃度補正部
１５４  ＲＯＭ
１５５  ＮＶＲＡＭ
１５６  テストパターン生成部
１５７  パネル制御部
１５８  プリンタパネル
【先行技術文献】
【特許文献】
【００４２】
【特許文献１】特開２００２−２１８２４５号公報
【図１】
2010226505.tif 000003
【図２】
2010226505.tif 000004
【図３】
2010226505.tif 000005
【図４】
2010226505.tif 000006
【図５】
2010226505.tif 000007
【図６】
2010226505.tif 000008
【図７】
2010226505.tif 000009
【図８】
2010226505.tif 000010
【図９】
2010226505.tif 000011
【図１０】
2010226505.tif 000012